(57)【要約】【課題】操作部位をコンパクトとしながら容易に車両用シートの各部位を駆動することができる車両用シート制御装置を提供すること。【解決手段】車両用シート制御装置は、車両用シート１の座部２及びシートバック３をそれぞれ駆動するスライド用モータ５及びリクライニング用モータ６と、操作物の接触及び接触した状態での操作物の移動を検知する操作パネル７と、操作パネル７に対する車両用シート１の各部位の駆動にそれぞれ対応した視認不要な個別の操作の検知に基づいてスライド用モータ５及びリクライニング用モータ６を駆動する制御部９とを備える。【選択図】図１
2020079056.tif 000002
【特許請求の範囲】
【請求項１】
車両用シート（１）の各部位（２，３）をそれぞれ駆動する複数の駆動装置（５，６）と、
操作物（２１，２２）の接触及び接触した状態での操作物の移動を検知する操作パネル（７）と、
前記操作パネルに対する前記車両用シートの各部位の駆動にそれぞれ対応した視認不要な個別の操作の検知に基づいて前記駆動装置を駆動する制御部（９）と
を備えた車両用シート制御装置。
【請求項２】
前記制御部は、トリガー信号に基づいて前記操作パネルに対する操作の検知を行う請求項１に記載の車両用シート制御装置。
【請求項３】
前記操作パネルは、アームレスト（４）に設けられた請求項１又は２に記載の車両用シート制御装置。
【請求項４】
前記アームレストは、前記車両用シートに設けられた請求項３に記載の車両用シート制御装置。
【請求項５】
前記制御部は、前記操作パネルに対する記憶操作に基づいて前記車両用シートの各部位の位置を記憶する請求項１〜４の何れか１項に記載の車両用シート制御装置。
【請求項６】
前記制御部は、前記操作パネルに対する操作速度に応じて前記駆動装置の駆動速度を決定する請求項１〜５の何れか１項に記載の車両用シート制御装置。
【請求項７】
前記制御部が駆動する前記駆動装置は、前記車両用シートの座部（２）を前後にスライド移動させるスライド用モータ（５）と、前記車両用シートのシートバック（３）を起こす方向と寝かす方向とに傾動させるリクライニング用モータ（６）とを含む請求項１〜６の何れか１項に記載の車両用シート制御装置。
【発明の詳細な説明】
【技術分野】
【０００１】
本発明は、車両用シート制御装置に関するものである。
【背景技術】
【０００２】
車両用シート制御装置としては、車両用シートの各部位をそれぞれ駆動する複数の駆動装置と、車両用シートの側面等に設けられた物理的な複数のスイッチからなる操作スイッチ群とを備えたものがある（例えば、特許文献１参照）。このような、車両用シート制御装置では、操作スイッチ群の複数のスイッチのいずれかを選択しつつ操作を行うことで特定の駆動装置を駆動させて車両用シートの各部位を自在に駆動することが可能とされている。
【先行技術文献】
【特許文献】
【０００３】
【特許文献１】特開２０１６−２９０２号公報
【発明の概要】
【発明が解決しようとする課題】
【０００４】
しかしながら、上記のような車両用シート制御装置では、操作スイッチ群からなる操作部位が大型化してしまうという問題がある。また、例えば、タッチパネルに車両用シートの画像を表示させつつ該画像に指等を接触させて移動させることで各部位を駆動させることも考えられるが、このような場合も車両用シートの画像を表示させる必要があることなどから操作部位が大型化するとともに、操作時に画像の視認が必要となってしまう。
【０００５】
本発明は上記問題点を解消するためになされたものであって、その目的は、操作部位をコンパクトとしながら容易に車両用シートの各部位を駆動することができる車両用シート制御装置を提供することにある。
【課題を解決するための手段】
【０００６】
上記課題を解決する車両用シート制御装置は、車両用シート（１）の各部位（２，３）をそれぞれ駆動する複数の駆動装置（５，６）と、操作物（２１，２２）の接触及び接触した状態での操作物の移動を検知する操作パネル（７）と、前記操作パネルに対する前記車両用シートの各部位の駆動にそれぞれ対応した視認不要な個別の操作の検知に基づいて前記駆動装置を駆動する制御部（９）とを備える。
【０００７】
同構成によれば、操作物の接触及び接触した状態での操作物の移動を検知する操作パネルと、操作パネルに対する車両用シートの各部位の駆動にそれぞれ対応した視認不要な個別の操作の検知に基づいて駆動装置を駆動する制御部とを備えるため、操作部位をコンパクトとしながら容易に車両用シートの各部位を駆動することができる。
【図面の簡単な説明】
【０００８】
【図１】一実施形態における車両用シートの側面図。
【図２】一実施形態におけるアームレストの平面図。
【図３】一実施形態におけるアームレストの平面図。
【図４】一実施形態における制御部の処理を説明するためのフロー図。
【発明を実施するための形態】
【０００９】
以下、車両用シート制御装置の一実施形態を図１〜図４に従って説明する。
図１に示すように、車両に設けられた車両用シート１は、座面を有する座部２と、該座部２の後方側端部において回動可動に支持されたシートバック３とを備えている。また、本実施形態の車両用シート１は、シートバック３の側面から前方に延びるように設けられたアームレスト４を備えている。また、車両用シート１は、座部２を前後にスライド移動させるための駆動装置としてのスライド用モータ５と、シートバック３を起こす方向と寝かす方向とに傾動させる駆動装置としてのリクライニング用モータ６とを備えている。なお、スライド用モータ５は、座部２を前後にスライド移動させることでシートバック３を含む車両用シート１全体を前後にスライド移動させる。また、シートバック３を起こす方向は、ヘッドレストが設けられるシートバック３の先端を前方に向かわせる方向であって、シートバック３を寝かす方向は、シートバック３の先端を後方に向かわせる方向である。
【００１０】
また、図１〜図３に示すように、アームレスト４には、搭乗者の指等の操作物の接触及び接触した状態での操作物の移動を検知する操作パネル７が設けられている。操作パネル７は、その操作される平面である操作面７ａが上方を向くように設けられている。また、アームレスト４には、トリガースイッチ８が設けられている。トリガースイッチ８は、押しボタン式スイッチであって、アームレスト４の側面から突出して設けられている。また、トリガースイッチ８は、初期状態よりも押されている状態でトリガー信号を出力し、例えば、押している指が離されると初期状態の位置に復帰してトリガー信号の出力を停止するものである。操作パネル７とトリガースイッチ８は、例えば、車両用シート１の座部２に座った搭乗者がトリガースイッチ８を親指で押しながら、操作パネル７を他の指で操作可能となるように配置されている。
【００１１】
そして、図１に示すように、前記スライド用モータ５、リクライニング用モータ６、操作パネル７、及びトリガースイッチ８は、例えば、車両ＥＣＵ等からなる制御部９に電気的に接続されている。
【００１２】
制御部９は、操作パネル７に対する車両用シート１の各部位の駆動にそれぞれ対応した視認不要な個別の操作の検知に基づいてスライド用モータ５及びリクライニング用モータ６を駆動する。
【００１３】
詳述すると、本実施形態の制御部９は、まずトリガースイッチ８が押されたことにより入力されるトリガー信号に基づいて操作パネル７に対する操作の検知を行う。
そして、制御部９が検知する前記個別の操作は、どの駆動装置を制御対象とするか、すなわち、本実施形態ではスライド用モータ５とリクライニング用モータ６のどちらを制御対象とするかを決定する選択操作を含んでいる。そして、本実施形態の選択操作は、操作パネル７に操作物を一点で接触させることで制御対象をスライド用モータ５に決定する一点操作と、操作パネル７に操作物を二点で接触させることで制御対象をリクライニング用モータ６に決定する二点操作とを含んでいる。
【００１４】
また、制御部９が検知する前記個別の操作は、選択された制御対象をどのように駆動するかを決定する駆動操作を含んでいる。そして、スライド用モータ５が制御対象の場合の駆動操作は、操作パネル７上の操作物を前方に移動させることで座部２を前方にスライド移動させるべくスライド用モータ５を駆動させる前方操作と、操作パネル７上の操作物を後方に移動させることで座部２を後方にスライド移動させるべくスライド用モータ５を駆動させる後方操作とを含んでいる。また、リクライニング用モータ６が制御対象の場合の駆動操作は、操作パネル７上の操作物を前方に移動させることでシートバック３を起こすべくリクライニング用モータ６を駆動させる前方操作と、操作パネル７上の操作物を後方に移動させることでシートバック３を寝かすべくリクライニング用モータ６を駆動させる後方操作とを含んでいる。
【００１５】
具体的には、図４に示すように、制御部９は、例えば車両のイグニッションがオンの状態で、ステップＳ１以下の処理を行う。
制御部９は、ステップＳ１において、トリガー信号が入力されているか否かを判定し、トリガー信号が入力されていると判定するとステップＳ２に移行する。又、制御部９は、前記トリガー信号が入力されていないと判定するとステップＳ１を繰り返す。なお、本実施形態の制御部９は、後の処理中にトリガー信号の入力が非入力となると、その時点で処理を終了する。
【００１６】
制御部９は、ステップＳ２において、操作パネル７に指等の操作物が一点で接触されたか否かを判定し、一点で接触されたと判定するとステップＳ３に移行する。また、一点で接触されていないと判定するとステップＳ４に移行する。
【００１７】
制御部９は、ステップＳ４において、操作パネル７に指等の操作物が二点で接触されたか否かを判定し、二点で接触されたと判定するとステップＳ５に移行する。また、制御部９は、二点で接触されていないと判定するとステップＳ２に戻る。
【００１８】
制御部９は、ステップＳ３において、操作パネル７上の操作物が前方に移動されたか否かを判定し、前方に移動されたと判定するとステップＳ６に移行する。また、制御部９は、前方に移動されていないと判定するとステップＳ７に移行する。
【００１９】
制御部９は、ステップＳ６において、座部２を前方にスライド移動させるべくスライド用モータ５の駆動を開始させ、ステップＳ８に移行する。
制御部９は、ステップＳ７において、操作パネル７上の操作物が後方に移動されたか否かを判定し、後方に移動されたと判定するとステップＳ９に移行する。また、制御部９は、後方に移動されていないと判定するとステップＳ３に戻る。
【００２０】
制御部９は、ステップＳ９において、座部２を後方にスライド移動させるべくスライド用モータ５の駆動を開始させ、ステップＳ８に移行する。
一方、制御部９は、ステップＳ５において、操作パネル７上の操作物が前方に移動されたか否かを判定し、前方に移動されたと判定するとステップＳ１０に移行する。また、制御部９は、前方に移動されていないと判定するとステップＳ１１に移行する。
【００２１】
制御部９は、ステップＳ１０において、シートバック３を起こすべくリクライニング用モータ６の駆動を開始させ、ステップＳ８に移行する。
制御部９は、ステップＳ１１において、操作パネル７上の操作物が後方に移動されたか否かを判定し、後方に移動されたと判定するとステップＳ１２に移行する。また、制御部９は、後方に移動されていないと判定するとステップＳ５に戻る。
【００２２】
制御部９は、ステップＳ１２において、シートバック３を寝かすべくリクライニング用モータ６の駆動を開始させ、ステップＳ８に移行する。
制御部９は、ステップＳ８において、操作パネル７上の操作物が離間されて非検知となったか否かを判定し、非検知となったと判定するとステップＳ１３に移行する。又、制御部９は、操作パネル７上の操作物が非検知となっていないと判定するとステップＳ８を繰り返す。
【００２３】
制御部９は、ステップＳ１３において、駆動していたスライド用モータ５又はリクライニング用モータ６の駆動を停止して、処理を終了する。
次に、上記した車両用シート制御装置の作用について説明する。
【００２４】
例えば、図２に示すように、搭乗者がトリガースイッチ８を親指２０で押しながら、操作物である人差し指２１を操作パネル７の操作面７ａの任意の位置に接触させる一点操作を行うと、制御部９にて制御対象がスライド用モータ５に決定される。そして、搭乗者が操作パネル７の操作面７ａ上にある人差し指２１を前方に移動させる前方操作を行うと（矢印Ａ１参照）、制御部９は座部２を前方にスライド移動させるべくスライド用モータ５を駆動させる。そして、搭乗者が操作パネル７の操作面７ａ上にある人差し指２１を操作面７ａから離間させると、制御部９はスライド用モータ５の駆動を停止させる。なお、制御対象がスライド用モータ５に決定された状態で、搭乗者が操作パネル７の操作面７ａ上にある人差し指２１を後方に移動させる後方操作を行うと、制御部９は座部２を後方にスライド移動させるべくスライド用モータ５を駆動させる。
【００２５】
また、例えば、図３に示すように、搭乗者がトリガースイッチ８を親指２０で押しながら、操作物である人差し指２１及び中指２２を操作パネル７の操作面７ａの任意の位置に接触させる二点操作を行うと、制御部９にて制御対象がリクライニング用モータ６に決定される。そして、搭乗者が操作パネル７の操作面７ａ上にある人差し指２１及び中指２２を前方に移動させる前方操作を行うと（矢印Ａ２参照）、制御部９はシートバック３を起こすべくリクライニング用モータ６を駆動させる。そして、搭乗者が操作パネル７の操作面７ａ上にある人差し指２１及び中指２２を操作面７ａから離間させると、制御部９はリクライニング用モータ６の駆動を停止させる。なお、制御対象がリクライニング用モータ６に決定された状態で、搭乗者が操作パネル７の操作面７ａ上にある人差し指２１及び中指２２を後方に移動させる後方操作を行うと、制御部９はシートバック３を寝かすべくリクライニング用モータ６を駆動させる。
【００２６】
次に、上記実施形態の効果を以下に記載する。
（１）操作物の接触及び接触した状態での操作物の移動を検知する操作パネル７と、操作パネル７に対する車両用シート１の各部位の駆動にそれぞれ対応した視認不要な個別の操作の検知に基づいてスライド用モータ５及びリクライニング用モータ６を駆動する制御部９とを備える。よって、操作部位をコンパクトとしながら容易に車両用シート１の各部位を駆動することができる。特に、本実施形態では、座部２を前方にスライド移動させる場合の操作は操作物を前方に移動させ、座部２を後方にスライド移動させる場合の操作は操作物を後方に移動させるように設定されるため、搭乗者は直感的に座部２をスライド移動させることができる。また、本実施形態では、シートバック３を起こす場合であってシートバック３の先端を前方に向かわせる場合の操作は操作物を前方に移動させ、シートバック３を寝かす場合であってシートバック３の先端を後方に向かわせる場合の操作は操作物を後方に移動させるように設定されるため、搭乗者は直感的にシートバック３を傾動させることができる。
【００２７】
（２）制御部９は、トリガー信号に基づいて操作パネル７に対する操作の検知を行うため、意図せず操作パネル７に対する操作を行ってしまった際の意図しない車両用シート１の各部位の駆動を防止することができる。
【００２８】
（３）操作パネル７は、アームレスト４に設けられるため、例えば、操作部位が車両用シート１の側面等にある場合に比べて、操作が容易となる。
（４）アームレスト４は、車両用シート１のシートバック３に設けられるため、例えば、車両用シート１の座部２が前後にスライド移動した場合でも該座部２に座った搭乗者からの操作パネル７の位置が変わらないようにすることができる。よって、操作性が良好となる。
【００２９】
（５）制御対象である駆動装置は、座部２を前後にスライド移動させるスライド用モータ５と、シートバック３を起こす方向と寝かす方向とに傾動させるリクライニング用モータ６とを含むため、一般的に使用頻度の高いそれらの動作を容易に行うことができる。
【００３０】
本実施形態は、以下のように変更して実施することができる。本実施形態及び以下の変更例は、技術的に矛盾しない範囲で互いに組み合わせて実施することができる。
・上記実施形態では、特に言及していないが、制御部９は、操作パネル７に対する記憶操作に基づいてそのときの車両用シート１の各部位の位置を記憶するようにしてもよい。
【００３１】
具体的には、例えば、制御部９は、トリガー信号が入力された状態で、操作パネル７に接触された操作物が右に移動される記憶操作が行われると、そのときの車両用シート１の各部位の位置を記憶するようにしてもよい。また、この場合、例えば、制御部９は、トリガー信号が入力された状態で、操作パネル７に接触された操作物が左に移動される読み出し操作が行われると、車両用シート１の各部位の位置を記憶した位置とすべくスライド用モータ５及びリクライニング用モータ６を駆動させるようにしてもよい。なお、もちろん、上記した記憶操作及び読み出し操作は、２回タップや３回タップ等の他の操作に変更してもよい。このようにすると、車両用シート１の各部位の位置を記憶した位置に容易に駆動させることが可能となる。
【００３２】
・上記実施形態では、特に言及していないが、制御部９は、操作パネル７に対する操作速度に応じて駆動装置（上記実施形態では、スライド用モータ５及びリクライニング用モータ６）の駆動速度を決定するようにしてもよい。
【００３３】
具体的には、例えば、制御部９は、上記した前方操作や後方操作の際の操作物が移動される速度が速い場合は制御対象のスライド用モータ５又はリクライニング用モータ６の駆動速度を速くし、操作物が移動される速度が遅い場合は制御対象のスライド用モータ５又はリクライニング用モータ６の駆動速度を遅くするようにしてもよい。このようにすると、搭乗者は車両用シート１の各部位の駆動速度を容易に調整することができる。
【００３４】
・上記実施形態では、制御部９は、トリガー信号が入力されると操作パネル７に対する操作の検知を行って駆動装置を駆動するようにしたが、これに限定されず、単に操作パネル７の操作に基づいて駆動装置を駆動するようにしてもよい。また、上記実施形態では、トリガー信号は押しボタン式スイッチであるトリガースイッチ８が押された状態で制御部９に入力されるとしたが、トリガースイッチ８は他の形式のものとしてもよいし、搭乗者の音声やジェスチャーでトリガー信号が制御部９に入力される構成としてもよい。
【００３５】
・上記実施形態では、操作パネル７は、アームレスト４に設けられるとしたが、これに限定されず、例えば車両用シート１の側面や車両ドア等の他の部位に設けてもよい。
・上記実施形態では、制御対象である駆動装置は、スライド用モータ５とリクライニング用モータ６であるとしたが、これに限定されず、他の駆動装置を含んでいてもよい。例えば、座部２を上下に昇降させるリフタ用モータや、シートバック３の背もたれ面の形状を変更するランバーサポート用モータや、座部２を重力方向に沿った軸中心に回転させるシート回転用モータを制御対象としてもよい。
【００３６】
・上記実施形態では、どの駆動装置を制御対象とするかを決定する選択操作を、一点操作と二点操作としたが、これらの操作は他の操作に変更してもよい。
・上記実施形態では、選択された制御対象をどのように駆動するかを決定する駆動操作を、前方操作と後方操作としたが、これらの操作は他の操作に変更してもよい。また、例えば、制御対象である駆動装置が上記シート回転用モータである場合は、操作パネル７上の操作物を、円を描くように移動させることでシート回転用モータを駆動させる操作としてもよい。
【００３７】
・上記実施形態及び別例で記載した操作等は、例えば他のタッチパネルディスプレイ等の操作によってカスタマイズ可能としてもよい。
・上記実施形態では、操作物を人差し指２１や中指２２としたが、これに限定されず、例えば操作パネル７が検知可能な操作ペン等としてもよい。
【符号の説明】
【００３８】
１…車両用シート、２…座部、３…シートバック、４…アームレスト、５…スライド用モータ（駆動装置）、６…リクライニング用モータ（駆動装置）、７…操作パネル、９…制御部、２１…人差し指（操作物）、２２…中指（操作物）。
【図１】
2020079056.tif 000003
【図２】
2020079056.tif 000004
【図３】
2020079056.tif 000005
【図４】
2020079056.tif 000006